(57)【要約】【課題】今まで滞留していたグリースに積極的に流動性を与えることで、潤滑性能の向上を図ることができる良好な玉軸受を提供する。【解決手段】玉軸受は、内輪１と、外輪２と、内外輪１，２の間に転動自在に配設された複数の玉３と、これら玉３を周方向に沿って等間隔に保持する複数のポケットが設けられた合成樹脂製の冠型保持器１４と、軸受両端の開口部を覆うシール部材１６とを備え、軸受空間内にグリースが封入されている。冠型保持器１４の各柱部２２の上面には、円柱ピン状の突起２３が突設されている。突起２３は、ポケットに保持された玉３の頂点よりも軸線方向に高く突出する高さに設定されると共に、樹脂成形時に冠型保持器１４を成形金型から突き出す際に突出しピンが突き当たる部分に突設されている。【選択図】　　　図１
2004068925.tif 000002
【特許請求の範囲】
【請求項１】
内輪と、外輪と、内外輪の間に転動自在に配設された複数の玉と、これら玉を周方向に沿って等間隔に保持する複数のポケットが設けられた合成樹脂製の冠型保持器と、軸受両端の開口部を覆うシール部材とを備え、軸受空間内にグリースが封入される玉軸受であって、
前記冠型保持器のポケット開口側の端面上で、且つ樹脂成形時に突出しピンが突き当たる部分には、ポケットに保持された前記玉の頂点よりも軸線方向に高く突出する少なくとも１つの突起が設けられていることを特徴とする玉軸受。
【請求項２】
前記突起が、高さを変えて複数設けられていることを特徴とする請求項１に記載の玉軸受。
【請求項３】
前記突起が、ピッチ円直径を変えて複数設けられていることを特徴とする請求項１又は２に記載の玉軸受。
【発明の詳細な説明】
【０００１】
【発明の属する技術分野】
本発明は、軸受空間内にグリースが封入される玉軸受に関し、特に、合成樹脂製の冠型保持器を備えた玉軸受に関する。
【０００２】
【従来の技術】
一般に、各種回転部分を支持するために、図８に示す様な玉軸受が広く使用されている。
この玉軸受は、内輪１と、外輪２と、内外輪１，２の間に転動自在に配設された複数の玉３と、これら玉３を周方向に沿って等間隔に保持する複数のポケット５が設けられた合成樹脂製の保持器４と、軸受両端の開口部を覆うシール部材１６とを備え、軸受空間内にグリース（図示略）が封入されている。
【０００３】
前記シール部材１６は、外周縁が外輪２の端部内周面に装着されており、内周縁に設けた内方のリップ７が内輪１の端部外周面に形成されたシール溝９の側壁斜面に摺接され、外方のリップ８がシール溝９との間でラビリンスを形成している。
前記保持器４は、図９に示したように、円環状の主部１０と、この主部１０の軸方向片面（図９（ｂ）中、上下方向上面）に等間隔に設けられた複数のポケット５とが、合成樹脂を射出成形することにより一体成形された冠型保持器であり、各ポケット５間は柱部１２とされている。
【０００４】
これら各ポケット５は、前記主部１０の軸方向片面に互いに間隔をあけて配置された一対の弾性片１１，１１の間部分に設けられると共に、前記玉３の形状に対応する凹面状のポケット内周面を有しており、該ポケット５には前記玉３が転動自在に保持される。
【０００５】
尚、玉３を周方向に沿って等間隔に保持する保持器には、図９に示した保持器４のような冠型保持器や、もみ抜き型保持器、波型プレス保持器等があり、また、材質についても鋼製のものから合成樹脂製のものまで、用途によって多種のものがある。特にプラスチック製（熱可塑性樹脂製）　の保持器は、鋼製の保持器に比べ、形状設計の自由度が大きく、低コスト、低トルク（低摩擦・低摩耗）　、軽量、耐蝕性、低騒音等の利点があるため、高速環境下では好んで用いられる傾向にある。
【０００６】
【発明が解決しようとする課題】
ところが、図８に示した様な従来の玉軸受では、前記保持器４におけるポケット開口側の端面（柱部１２のポケット開口側の端面）と、該端面に向かい合うシール部材１６の内面との間の空間に存在するグリースがほとんど流動しておらず、その場に滞留しているので潤滑に寄与していないことが実験により分かった。
従って、本発明の目的は上記課題を解消することに係り、今まで滞留していたグリースに積極的に流動性を与えることで、潤滑性能の向上を図ることができる良好な玉軸受を提供することである。
【０００７】
【課題を解決するための手段】
本発明の上記目的は、内輪と、外輪と、内外輪の間に転動自在に配設された複数の玉と、これら玉を周方向に沿って等間隔に保持する複数のポケットが設けられた合成樹脂製の冠型保持器と、軸受両端の開口部を覆うシール部材とを備え、軸受空間内にグリースが封入される玉軸受であって、
前記冠型保持器のポケット開口側の端面上で、且つ樹脂成形時に突出しピンが突き当たる部分には、ポケットに保持された前記玉の頂点よりも軸線方向に高く突出する少なくとも１つの突起が設けられていることを特徴とする玉軸受により達成される。
【０００８】
上記構成によれば、冠型保持器のポケット開口側の端面上に、先端が玉の頂点よりも突出する突起が設けられているので、冠型保持器におけるポケット開口側の端面と該端面に向かい合うシール部材内面との間の空間に存在する滞留グリースを断続的に流動させることができる。
そこで、今まで滞留していたグリースを軸受の潤滑に有効利用することができ、軸受の焼き付き寿命の向上を図ることができる。
【０００９】
また、前記突起は、冠型保持器を樹脂成形する際の成形金型における突出しピンの長さを短くするだけで簡単に形成することができる。
そこで、従来の成形金型を用いて安価に前記突起を形成することができ、成形金型の改造費用が嵩むこともない。
【００１０】
なお、好ましくは前記突起が、高さを変えて複数設けられことで、該突起の先端部分の通過軌跡を高さの違う突起ごとに異ならせることができるので、滞留グリースに対してより大きな流動性を与えることができる。
また、前記突起が、ピッチ円直径を変えて複数設けられることで、該突起の通過軌跡をピッチ円直径の違う突起ごとに異ならせることができるので、滞留グリースに対してより大きな流動性を与えることができる。
【００１１】
【発明の実施の形態】
以下、添付図面に基づいて本発明の一実施形態に係る玉軸受を詳細に説明する。
図１は本発明の第１実施形態に係る玉軸受の半断面図、図２は図１に示した冠型保持器の部分斜視図、図３は図２に示した冠型保持器を樹脂成形する際の成形金型の部分断面図である。尚、本第１実施形態に係る玉軸受は、保持器を除いて図８に示した玉軸受と略同様の構成を有するので、同部材には同一符号を付して詳細な説明を省略する。
【００１２】
本第１実施形態に係る玉軸受は、図１に示したように、内輪１と、外輪２と、内外輪１，２の間に転動自在に配設された複数の玉３と、これら玉３を周方向に沿って等間隔に保持する複数のポケット１５が設けられた合成樹脂製の冠型保持器１４と、軸受両端の開口部を覆うシール部材１６とを備え、軸受空間内にグリース（図示略）が封入されている。
【００１３】
前記冠型保持器１４は、図１及び図２に示したように、円環状の主部２０と、この主部２０の軸方向片面（図２中、上下方向上面）に等間隔に設けられた複数のポケット１５とが、合成樹脂を射出成形することにより一体成形されており、各ポケット１５間は柱部２２とされている。
これら各ポケット１５は、前記主部２０の軸方向片面に互いに間隔をあけて配置された一対の弾性片２１，２１の間部分に設けられると共に、前記玉３の形状に対応する凹面状のポケット内周面を有しており、該ポケット１５には前記玉３が転動自在に保持される。
【００１４】
前記冠型保持器１４のポケット開口側の端面である各柱部２２の上面には、円柱ピン状の突起２３が突設されている。前記突起２３は、前記ポケット１５に保持された前記玉３の頂点よりも軸線方向に高く突出する高さに設定されている。
又、前記突起２３は、樹脂成形時に冠型保持器１４を成形金型から突き出す際に突出しピン１００が突き当たる部分（突き当たる位置）に突設されており、外径が突出しピン１００と同径に設定されている（図３、参照）。
【００１５】
更に、本第１実施形態に係る全ての突起２３の軸心は、冠型保持器１４のポケット１５と同一のピッチ円直径上にあり、内外輪１，２の間に配設される複数の玉３のピッチ円直径上でもある。
また、前記突起２３の先端とそれと向かい合うシール部材１６の内面との隙間が、冠型保持器１４の背面側の端面２５とそれと向かい合うシール部材１６の内面との隙間とほぼ等しくなるように設定されている。なお、冠型保持器１４の背面側には、軽量化のための肉ぬすみ部２４が設けられている。
【００１６】
即ち、本第１実施形態に係る玉軸受によれば、冠型保持器１４のポケット開口側の端面である各柱部２２の上面に、先端が玉３の頂点よりも突出する突起２３が設けられているので、冠型保持器１４における各柱部２２の上面と該柱部２２の上面に向かい合うシール部材１６の内面との間の空間に存在する滞留グリースを断続的に流動させることができる。
そこで、今まで滞留していたグリースを軸受の潤滑に有効利用することができ、軸受の焼き付き寿命の向上を図ることができる。
【００１７】
図３は、前記冠型保持器１４を射出成形する際に使用される成形金型の部分断面図である。
図３に示した成形金型は、冠型保持器１４の軸方向（図中、上下方向）に二分割される固定金型１１０と可動金型１１２とから成り、該可動金型１１２が冠型保持器１４の軸方向に沿って進退動する。
【００１８】
そして、図３（ａ）に示したように、前記可動金型１１２と前記固定金型１１０とを突き合わせ状態の型面に、前記冠型保持器１４の外形に対応したキャビティ１１５を形成し、該キャビティ１１５内に溶融した熱可塑性合成樹脂を射出し、固化させる。
【００１９】
又、前記可動金型１１２には、エジェクタプレート１１４に垂設された複数の突出しピン１００が冠型保持器１４の軸方向に沿って挿通している。各突出しピン１００の先端は、前記キャビティ１１５内で形成される冠型保持器１４の各柱部２２の上面に対向すると共に、該柱部２２の上面に対して所定の間隔をもって配置されている。
【００２０】
前記キャビティ１１５内で合成樹脂が固化した後、図３（ｂ）に示したように、前記固定金型１１０に対して前記可動金型１１２を後退させると共に、前記突出しピン１００を該前記可動金型１１２に対して相対的に前進させることで、各突出しピン１００の先端が前記突起２３の先端を押し、各弾性片２１を弾性変形させつつ、前記冠型保持器１４を可動金型１１２から突出す。
【００２１】
即ち、本第１実施形態に係る冠型保持器１４の突起２３は、前記キャビティ１１５内で形成される冠型保持器の各柱部の上面に先端が達していた従来の突出しピンの長さを短くするだけで簡単に形成することができる。
そこで、前記突起２３は、前記可動金型１１２及び前記固定金型１１０を備えた従来の成形金型を用いて安価に形成することができ、成形金型の改造費用が嵩むこともない。
【００２２】
図４は、本発明の第２実施形態に係る玉軸受における冠型保持器の平面図及び部分正面図である。
本第２実施形態における冠型保持器３４では、該冠型保持器３４のポケット開口側の端面である各柱部２２の上面に突設される各突起３３ａ，３３ｂが、前記ポケット１５に保持された前記玉３の頂点よりも軸線方向に高く突出する高さに設定されると共に、それぞれ異なる高さに設定されている。
即ち、高さの高い突起３３ａと高さの低い突起３３ｂを交互に配置している。それ以外の部分は、上記第１実施形態における冠型保持器１４と同様であり、各突起３３ａ，３３ｂは、ポケット１５と同一のピッチ円直径Ｄ１上にある。
【００２３】
従って、本第２実施形態に係る玉軸受によれば、冠型保持器３４のポケット開口側の端面である各柱部２２の上面に突設された複数の突起３３ａ，３３ｂが、異なる高さを有しているので、突起３３ａ，３３ｂの先端部分の通過軌跡を高さの違う突起３３ａ，３３ｂごとに異ならせることができ、滞留グリースに対してより大きな流動性を与えることができる。
【００２４】
図５は本発明の第３実施形態に係る玉軸受の半断面図、図６は図５に示した冠型保持器の平面図及び部分正面図である。
本第３実施形態に係る玉軸受は、図５に示したように、内輪１と、外輪２と、内外輪１，２の間に転動自在に配設された複数の玉３と、これら玉３を周方向に沿って等間隔に保持する複数のポケット４５が設けられた合成樹脂製の冠型保持器４４と、軸受両端の開口部を覆うシール部材１６とを備え、軸受空間内にグリース（図示略）が封入されている。
【００２５】
前記冠型保持器４４は、図６に示したように、円環状の主部４０と、この主部４０の軸方向片面（図６（ｂ）中、上下方向上面）に等間隔に設けられた複数のポケット４５とが、合成樹脂を射出成形することにより一体成形されており、各ポケット４５間は柱部４２とされている。
これら各ポケット４５は、前記主部４０の軸方向片面に互いに間隔をあけて配置された一対の弾性片４１，４１の間部分に設けられると共に、前記玉３の形状に対応する凹面状のポケット内周面を有しており、該ポケット４５には前記玉３が転動自在に保持される。
【００２６】
本第３実施形態における冠型保持器４４では、図５及び図６に示したように、該冠型保持器４４のポケット開口側の端面である各柱部４２の上面に突設される各突起４３ａ，４３ｂが、前記ポケット４５に保持された前記玉３の頂点よりも軸線方向に高く突出する高さに設定されると共に、それぞれ異なるピッチ円直径Ｄ２，Ｄ３上に配置されている。
【００２７】
即ち、前記ポケット４５のピッチ円直径よりも大きい第１のピッチ円直径Ｄ２と、前記ポケット４５のピッチ円直径よりも小さい第２のピッチ円直径Ｄ３の二種類のピッチ円直径を設定し、円周方向に並ぶ複数個の突起４３ａ，４３ｂを第１及び第２のピッチ円Ｄ２，Ｄ３上に交互に配置している。
【００２８】
従って、本第３実施形態に係る玉軸受によれば、冠型保持器４４のポケット開口側の端面である各柱部４２の上面に突設された複数の突起４３ａ，４３ｂが、異なるピッチ円直径Ｄ２，Ｄ３上に配置されているので、突起４３ａ，４３ｂの先端部分の通過軌跡をピッチ円直径の異なる突起４３ａ，４３ｂごとに異ならせることができ、滞留グリースに対してより大きな流動性を与えることができる。
【００２９】
図７は、本発明の第４実施形態に係る玉軸受における冠型保持器の平面図及び部分正面図である。
本第４実施形態における冠型保持器５４では、該冠型保持器５４のポケット開口側の端面である各柱部４２の上面に突設される各突起５３ａ，３３ｂが、前記ポケット４５に保持された前記玉３の頂点よりも軸線方向に高く突出する高さに設定されると共に、それぞれ異なる高さ、異なるピッチ円直径Ｄ２，Ｄ３に設定されている。
【００３０】
即ち、高さの高い突起５３ａと高さの低い突起５３ｂを交互に配置している。それ以外の部分は、上記第３実施形態における冠型保持器４４と同様であり、円周方向に並ぶ複数個の突起５３ａ，５３ｂを第１及び第２のピッチ円Ｄ２，Ｄ３上に交互に配置している。
【００３１】
従って、本第４実施形態に係る玉軸受によれば、冠型保持器５４のポケット開口側の端面である各柱部４２の上面に突設された複数の突起５３ａ，５３ｂが、異なる高さを有すると共に異なるピッチ円直径Ｄ２，Ｄ３上に配置されているので、突起５３ａ，５３ｂの先端部分の通過軌跡を高さ及びピッチ円直径の異なる突起５３ａ，５３ｂごとに異ならせることができ、滞留グリースに対してより大きな流動性を与えることができる。
【００３２】
尚、本発明の玉軸受に係る内外輪、シール部材、及び冠型保持器の突起の構成は、上記各実施形態の構成に限定されるものではなく、本発明の趣旨に基づいて種々の形態を採りうることは云うまでもない。
例えば、上記実施形態においては、各突起を全ての柱部の上面に突設したが、必ずしも全ての柱部の上面に設ける必要はなく、適宜間引いても良く、少なくとも１つの突起が突設されていれば良い。
【００３３】
【発明の効果】
以上説明したように、本発明の玉軸受によれば、冠型保持器のポケット開口側の端面上に、先端が玉の頂点よりも突出する突起が設けられているので、冠型保持器におけるポケット開口側の端面と該端面に向かい合うシール部材内面との間の空間に存在する滞留グリースを断続的に流動させることができる。
そこで、今まで滞留していたグリースを軸受の潤滑に有効利用することができ、軸受の焼き付き寿命の向上を図ることができる。
【００３４】
また、前記突起は、冠型保持器を樹脂成形する際の成形金型における突出しピンの長さを短くするだけで簡単に形成することができる。
そこで、従来の成形金型を用いて安価に前記突起を形成することができ、成形金型の改造費用が嵩むこともない。
【図面の簡単な説明】
【図１】本発明の第１実施形態に係る玉軸受の半断面図である。
【図２】図１に示した冠型保持器の部分斜視図である。
【図３】図２に示した冠型保持器を樹脂成形する際の成形金型の部分断面図である。
【図４】本発明の第２実施形態に係る玉軸受における冠型保持器の平面図及び部分正面図である。
【図５】本発明の第３実施形態に係る玉軸受の半断面図である。
【図６】図５に示した冠型保持器の平面図及び部分正面図である。
【図７】本発明の第４実施形態に係る玉軸受における冠型保持器の平面図及び部分正面図である。
【図８】従来の玉軸受の半断面図である。
【図９】図８に示した冠型保持器の平面図及び部分正面図である。
【符号の説明】
１　内輪
２　外輪
３　玉
１４　冠型保持器
１５　ポケット
１６　シール部材
２３　突起
１００　突出しピン
【図１】
2004068925.tif 000003
【図２】
2004068925.tif 000004
【図３】
2004068925.tif 000005
【図４】
2004068925.tif 000006
【図５】
2004068925.tif 000007
【図６】
2004068925.tif 000008
【図７】
2004068925.tif 000009
【図８】
2004068925.tif 000010
【図９】
2004068925.tif 000011